(57)【要約】      （修正有）【課題】２つのファスナー付き可撓性部材をその内部空間を外部空間に曝すことなく着脱するファスナー用複合スライダーを提供すること。【解決手段】第１の可撓性部材と、第２の可撓性部材とを着脱するファスナーの複合スライダーであって、第１スライダー部１０、第２スライダー部、第３スライダー部２０および第４スライダー部２１を備え、これらスライダー部の分岐部を互いに向き合わせると共に、第３スライダー部２０を第１スライダー部１０に対して略直角に捩り、第４スライダー部２１を第２スライダー部に対して略直角に捩っている。【選択図】図１
2011087875.tif 000002
【特許請求の範囲】
【請求項１】
第１噛合レール部材と第２噛合レール部材とを有する第１のファスナーを取り付けた第１の可撓性部材と、第３噛合レール部材と第４噛合レール部材とを有する第２のファスナーを取り付けた第２の可撓性部材とを着脱するファスナーの複合スライダーであって、
上記第１噛合レール部材と第２噛合レール部材を挿通するスリット部と、噛合する閉合部と、噛合を解除する分岐部とを有する第１スライダー部と、
上記第３噛合レール部材と第４噛合レール部材を挿通するスリット部と、噛合する閉合部と、噛合を解除する分岐部とを有する第２スライダー部と、
上記第１スライダー部に挿通した第１噛合レール部材と上記第２スライダー部に挿通した第３噛合レール部材を挿通するスリット部と、噛合する閉合部と、噛合を解除する分岐部とを有する第３スライダー部と、
上記第１スライダーに挿通した第２噛合レール部材と上記第２スライダー部に挿通した第４噛合レール部材を挿通するスリット部と、噛合する閉合部と、噛合を解除する分岐部とを有する第４スライダー部と備え、
上記第１スライダー部と第２スライダー部とは、上記第１スライダー部のスリット部と第２スライダー部のスリット部とを互いに反対側に向かせ、かつ上記第１スライダー部の分岐部と第２スライダー部の分岐部との向きを揃え、
上記第３スライダー部と第４スライダー部とは、互いに離間すると共に、上記第３スライダー部のスリット部と第４スライダー部のスリット部とを互いに向き合わせ、かつ上記第３スライダー部の分岐部と第４スライダー部の分岐部との向きを揃え、
さらに、上記第１スライダー部と第２スライダー部の分岐部側と、上記第３スライダー部と上記第４スライダー部の分岐部側とを互いに向き合わせ、かつ上記第３スライダー部を上記第１スライダー部に対して略直角に捩り、上記第４スライダー部を上記第２スライダー部に対して略直角に捩ったことを特徴とするファスナーの複合スライダー。
【請求項２】
請求項１記載のファスナーの複合スライダーにおいて、
上記第１の可撓性部材は、その両側に第１のファスナーを跳ね出して取り付けていると共に、第２の可撓性部材は、その両側に第２のファスナーを跳ね出して取り付けていることを特徴とするファスナーの複合スライダー。
【請求項３】
請求項１または２記載のファスナーの複合スライダーにおいて、
上記第１の可撓性部材は、シュート部材で、上記第２の可撓性部材は、有底袋状部材であることを特徴とするファスナーの複合スライダー。
【請求項４】
請求項１または２記載のファスナーの複合スライダーにおいて、
上記第１の可撓性部材は、可撓性の遮蔽膜で、上記第２の可撓性部材は、防護服であることを特徴とするファスナーの複合スライダー。
【発明の詳細な説明】
【技術分野】
【０００１】  本発明は、ファスナーに使用する複合スライダー関し、特に、２つのファスナー付き部材をその内部空間を外部空間に曝すことなく着脱するファスナーに使用する複合スライダーに関する。
【背景技術】
【０００２】  例えば、アスベストやダイオキシン等の有害物質を除去したり取り扱ったりする場合、アスベスト等の有害物質が付着した既存物が垂直な壁である場合やアスベスト含有耐火被覆管を破壊して除去する場合等、これらの有害物質の拡散を防止すると共に、作業者が有害物質の影響を受けないようにする必要がある。【０００３】  このため、アスベスト等の有害物質を除去したり取り扱ったりする作業では、外部への飛散防止のために有害物質をシート状の遮蔽膜を用いて遮蔽し、さらに高性能のフィルターを装着した吸引機で内部の空気を排出して、遮蔽空間の内部を負圧状態とし、作業者は、遮蔽空間の外側の作業空間側から遮蔽された遮蔽空間の内部において、治具等を操作して有害物質を除去することが行われている。【０００４】  そして、遮蔽空間の内部において除去した有害物質を、有害物質が作業空間内に漏出することなく、作業空間側に設けた収納袋に収納するようにする。その方法の一例が、特開２００９−１１３９８６号公報（特許公報１）に示されている。
この方法は、遮蔽膜の作業空間側に突出するシュートを設け、このシュートに収納袋を接続して、収納袋の内部と遮蔽空間とを連通させるものである。そして、除去した有害物質を遮蔽空間からシュートを介して、収納袋に収納する。つぎに、シュートを２箇所で縛ってシュートを閉鎖し、閉鎖部の間でシュートと収納袋を切り離す。【０００５】  しかしながら、上記公報の方法は、シュートを２箇所で縛り、その間でシュートを切断して、シュートと収納袋を切り離すので、縛った間のシュートには有害物質が挟まっている可能性があり、切断後には有害物質が作業空間に飛散する可能性がある。このため、切り離し作業の前に、２箇所の閉鎖部の間にシリコンを充填して切り離し時の有害物質の飛散を防止しているが、シリコンの材料費が嵩むと共に、作業手間が掛るという問題点がある。
【先行技術文献】
【特許文献】
【０００６】
【特許文献】特開２００９−１１３９８６号公報  図９
【発明の概要】
【発明が解決しようとする課題】
【０００７】  そこで、この発明の課題は、２つのファスナー付き可撓性部材をその内部空間を外部空間に曝すことなく着脱するファスナー用複合スライダーを提供することにある。
【課題を解決するための手段】
【０００８】  この課題を解決するために、この発明のファスナーの複合スライダーは、
第１噛合レール部材と第２噛合レール部材とを有する第１のファスナーを取り付けた第１の可撓性部材と、第３噛合レール部材と第４噛合レール部材とを有する第２のファスナーを取り付けた第２の可撓性部材とを着脱するファスナーの複合スライダーであって、
上記第１噛合レール部材と第２噛合レール部材を挿通するスリット部と、噛合する閉合部と、噛合を解除する分岐部とを有する第１スライダー部と、
上記第３噛合レール部材と第４噛合レール部材を挿通するスリット部と、噛合する閉合部と、噛合を解除する分岐部とを有する第２スライダー部と、
上記第１スライダー部に挿通した第１噛合レール部材と上記第２スライダー部に挿通した第３噛合レール部材を挿通するスリット部と、噛合する閉合部と、噛合を解除する分岐部とを有する第３スライダー部と、
上記第１スライダー部に挿通した第２噛合レール部材と上記第２スライダー部に挿通した第４噛合レール部材を挿通するスリット部と、噛合する閉合部と、噛合を解除する分岐部とを有する第４スライダー部と備え、
上記第１スライダー部と第２スライダー部とは、上記第１スライダー部のスリット部と第２スライダー部のスリット部とを互いに反対側に向かせ、かつ上記第１スライダー部の分岐部と第２スライダー部の分岐部との向きを揃え、
上記第３スライダー部と第４スライダー部とは、互いに離間すると共に、上記第３スライダー部のスリット部と第４スライダー部のスリット部とを互いに向き合わせ、かつ上記第３スライダー部の分岐部と第４スライダー部の分岐部との向きを揃え、
さらに、上記第１スライダー部と第２スライダー部の分岐部側と、上記第３スライダー部と上記第４スライダー部の分岐部側とを互いに向き合わせ、かつ上記第３スライダー部を上記第１スライダー部に対して略直角に捩り、上記第４スライダー部を上記第２スライダー部に対して略直角に捩ったことを特徴としている。【０００９】  また、１実施形態のファスナーの複合スライダーは、上記第１の可撓性部材が、その両側に第１のファスナーを跳ね出して取り付けていると共に、第２の可撓性部材は、その両側に第２のファスナーを跳ね出して取り付けていることを特徴としている。【００１０】  また、１実施形態のファスナーの複合スライダーは、上記第１の可撓性部材が、シュート部材で、上記第２の可撓性部材が、有底袋状部材であることを特徴としている。【００１１】  また、１実施形態のファスナーの複合スライダーは、上記第１の可撓性部材は、可撓性の遮蔽膜で、上記第２の可撓性部材は、防護服であることを特徴としている。
【発明の効果】
【００１２】  この発明のファスナーの複合スライダーによれば、上記第１噛合レール部材と第２噛合レール部材を挿通するスリット部と、噛合する閉合部と、噛合を解除する分岐部とを有する第１スライダー部と、上記第３噛合レール部材と第４噛合レール部材を挿通するスリット部と、噛合する閉合部と、噛合を解除する分岐部とを有する第２スライダー部と、上記第１スライダー部に挿通した第１噛合レール部材と上記第２スライダー部に挿通した第３噛合レール部材を挿通するスリット部と、噛合する閉合部と、噛合を解除する分岐部とを有する第３スライダー部と、上記第１スライダー部に挿通した第２噛合レール部材と上記第２スライダー部に挿通した第４噛合レール部材を挿通するスリット部と、噛合する閉合部と、噛合を解除する分岐部とを有する第４スライダー部と備え、上記第１スライダー部と第２スライダー部とは、上記第１スライダー部のスリット部と第２スライダー部のスリット部とを互いに反対側に向かせ、かつ上記第１スライダー部の分岐部と第２スライダー部の分岐部との向きを揃え、上記第３スライダー部と第４スライダー部とは、互いに離間すると共に、上記第３スライダー部のスリット部と第４スライダー部のスリット部とを互いに向き合わせ、かつ上記第３スライダー部の分岐部と第４スライダー部の分岐部との向きを揃え、さらに、上記第１スライダー部と第２スライダー部の分岐部側と、上記第３スライダー部と上記第４スライダー部の分岐部側とを互いに向き合わせ、かつ上記第３スライダー部を上記第１スライダー部に対して略直角に捩り、上記第４スライダー部を上記第２スライダー部に対して略直角に捩っているので、上記第１の可撓性部材と第２の可撓性部材のそれぞれのファスナーにスライドさせることによって、ファスナーで上記第１の可撓性部材と第２の可撓性部材を個々に、かつ同時に封止できると共に、これらを気密状に接続することができる。また、上記複合スライダーを逆方向にスライドさせると、上記第１の可撓性部材と第２の可撓性部材のそれぞれを気密状に封止すると共に、かつ同時に分離することができる。【００１３】  また、１実施形態によれば、上記第１の可撓性部材が、その両側に第１のファスナーを跳ね出して取り付けていると共に、第２の可撓性部材は、その両側に第２のファスナーを跳ね出して取り付けているので、上記ファスナーの跳ね出し部を上記複合スライダーに取り付けやすくなる。【００１４】  また、１実施形態によれば、上記第１の可撓性部材が、シュート部材で、上記第２の可撓性部材が、有底袋状部材であるので、有害物質を除去する遮蔽空間から除去した有害物質を、上記シュート部材を介して、上記有底袋状部材内に容易に収納することができる。【００１５】  また、１実施形態によれば、上記第１の可撓性部材は、可撓性の遮蔽膜で、上記第２の可撓性部材は、防護服であるので、例えば、ウイルスなどの蔓延を防止する隔離室を上記遮蔽膜で形成し、その内部に上記防護服を着用した医師等が入り、安全に作業をすることができる。また、例えば、大きい空間で有害物質を除去する場合、作業員が上記防護服を着用して上記遮蔽膜の形成した遮蔽空間の中へ入って、安全に除去作業を行うことができる。
【図面の簡単な説明】
【００１６】
【図１】この発明のファスナー用複合スライダーの実施形態の斜視図である。
【図２】（ａ）、（ｂ）、（ｃ）、（ｄ）、（ｅ）は、それぞれ図１のＡ−Ａ線、Ｂ−Ｂ線、Ｃ−Ｃ線、Ｄ−Ｄ線、Ｅ−Ｅ線における切断断面図である。
【図３】この発明のファスナー用複合スライダーに使用する第１の可撓性部材および第２の可撓性部材の斜視図である。
【図４】この発明のファスナー用複合スライダーを第１の可撓性部材および第２の可撓性部材に適用する説明図であり、（ａ）は、両部材の位置関係を示す説明図、（ｂ）は、この発明のファスナー用複合スライダーを両部材に取り付けの説明図、（ｃ）は、この発明のファスナー用複合スライダーで両部材を接続する説明図である。
【図５】この発明のファスナー用複合スライダーを除去した有害物質を収納する有底袋状部材とシュートに適用する説明図である。
【発明を実施するための形態】
【００１７】  以下、この発明を図示の形態により詳細に説明する。
図１は、この発明のファスナー用複合スライダーの実施形態の斜視図である。
図２（ａ）、（ｂ）、（ｃ）、（ｄ）、（ｅ）は、それぞれ図１のＡ−Ａ線、Ｂ−Ｂ線、Ｃ−Ｃ線、Ｄ−Ｄ線、Ｅ−Ｅ線における切断断面図である。
【００１８】  このファスナー用複合スライダー１は、図１に示すように、その正面の形状が略台形形状である主体２と、上記主体２の短辺側側面および長辺側側面に設けたスライダー部と、上記スライダー部間に連通する連通溝とから構成される。上記主体２は、正面３と、短辺側側面４と、長辺側側面５と、斜辺側側面６と、底面７で外形を形成している。
【００１９】  上記主体２の短辺側側面４に設けた第１スライダー部１０と第２スライダー部１１は、図２（ａ）に示すように、上記主体２の短辺側側面４に、かつ正面側と底面側にそれぞれ没入して設けてある。上記第１スライダー部１０は、後述する第１噛合レール部材と第２噛合レール部材の噛合部４３、４６を噛合する閉合部１２を有する。上記閉合部１２は、上記第１噛合レール部材と第２噛合レール部材の噛合部４３、４６を係止する係止部１３、１３を主体２の正面側に有すると共に、上記第１噛合レール部材と第２噛合レール部材のテープ部４２、４５を併せて挿通し正面側側面３に向って開口するスリット１４を主体２の正面側に上記係止部１３、１３の間に隣接して設けてある。さらに、上記第１スライダー部１０の主体２の長辺側方向の奥には、図２（ｂ）に示すように、上記第１噛合レール部材と第２噛合レール部材の噛合部４３、４６の噛合を解除すると共に、２つの噛合部を分岐する分岐柱からなる分岐部１５が上記閉合部１２の底面から主体２の正面側に向って立設してある。
【００２０】  同様に、上記第２スライダー部１１は、後述する第３噛合レール部材と第４噛合レール部材の噛合部５３、５６を噛合する閉合部１６を有する。上記閉合部１６は、上記第３噛合レール部材と第４噛合レール部材の噛合部５３、５６を係止する係止部１７、１７を主体２の底面側に有すると共に、上記第３噛合レール部材と第４噛合レール部材のテープ部５２、５５を併せて挿通するスリット１８を主体２の底面側に上記係止部１７、１７の間に隣接して設けてある。さらに、上記スライダー部１１の主体２の長辺側奥には、図２（ｂ）に示すように、上記第３噛合レール部材と第４噛合レール部材の噛合部５３、５６の噛合を解除すると共に、２つの噛合部を分岐する分岐柱からなる分岐部１９が上記閉合部１６の底面から主体の底面側に向って立設してある。
【００２１】  上記主体２の長辺側側面に設けた第３スライダー部２０と第４スライダー部２１は、図２（ｅ）に示すように、上記主体２の長辺側側面５に、かつ両斜辺側にそれぞれ離間して設けてある。上記第３スライダー部２０は、上記第１歯合レール部材４４と第２噛合レール部材４７の噛合部４３、５３を噛合する閉合部２２を有する。上記閉合部２２は、上記第１歯合レール部材４４と第２噛合レール部材４７の噛合部４３、５３を係止する係止部２３、２３を主体２の中央側に有すると共に、上記第１歯合レール部材４４と第２噛合レール部材４７のテープ部４２、５２を併せて挿通するスリット２４を主体２の中央側に上記係止部２３、２３の間に隣接して設けてある。さらに、上記第３スライダー部２０の主体２の短辺側方向の奥には、図２（ｄ）に示すように、上記第１歯合レール部材４４と第２噛合レール部材４７の噛合部４３、５３の噛合を解除すると共に、２つの噛合部を分岐する分岐柱からなる分岐部２５が上記閉合部２２の底面から主体中央側に向って立設してある。
【００２２】  同様に、上記第４スライダー部２１は、上記第１歯合レール部材４４と第２噛合レール部材４７の噛合部４６、５６を噛合する閉合部２６を有する。上記閉合部２６は、上記第１歯合レール部材４４と第２噛合レール部材４７の噛合部４６、５６を係止する係止部２７、２７を主体２の中央側に有すると共に、上記第１歯合レール部材４４と第２噛合レール部材４７のテープ部４５、５５を併せて挿通するスリット２８を主体２の中央側に上記係止部２７、２７の間に隣接して設けてある。さらに、上記スライダー部２１の主体２の短辺側方向の奥には、図２（ｄ）に示すように、上記第１歯合レール部材４４と第２噛合レール部材４７の噛合部４６、５６の噛合を解除すると共に、２つの噛合部を分岐する分岐柱からなる分岐部２９が上記閉合部１７の底面から主体中央側に向って立設してある。
【００２３】  上記離間した第３スライダー部２０と第４スライダー部２１は、それぞれの上記スリット２５、２８を対向して配置されていると共に、それぞれの上記スリット２５、２８の間に空間を形成している。そして、上記第３スライダー部２０と第４スライダー部２１は、それぞれ上記第１スライダー部１０と第２スライダー部１１に対して略直角に捩じった状態になっている。
【００２４】  上記スリット１４は、長辺側側面５に向うに従って、図２（ｃ）に示すように、上記分岐部１５の位置で、上記正面側側面３に開口する２つの連通溝３０、３１に分岐される。上記連通溝３０は、略直角に捩れて、上記第１スライダー部１０と上記第３スライダー部２０とを連通し、上記連通溝３１は、略直角に捩れて、上記第１スライダー部１０と上記第４スライダー部２１とを連通している。上記連通溝３０、３１は、ファスナーのテープ部を挿通するだけの幅を有し、上記正面側側面３に開口すると共に開口部と反対側に噛合部を挿通して噛合部の移動を案内する案内部３２、３３を形成している。そして、上記連通溝３０、３１は、主体２の中央部で、それぞれ上記正面側側面３の位置から上記斜辺側側面かつ上記底面側側面７に向って斜めに（略４５度）曲線状に曲がっている。
【００２５】  また、同様に、上記スリット１７は、長辺側側面５に向うに従って、図２（ｃ）に示すように、上記分岐部１９の位置で、上記底面側側面７に開口する２つの連通溝３５、３６に分岐される。上記連通溝３５は、略直角に捩れて、上記第２スライダー部１１と上記第３スライダー部２０とを連通し、上記連通溝３６は、略直角に捩れて、上記第２スライダー部１１と上記第４スライダー部２１とを連通している。上記連通溝３５、３６は、ファスナーのテープ部を挿通するだけの幅を有し、上記底面側側面７に開口すると共に開口部と反対側に噛合部を挿通して噛合部の移動を案内する案内部３７、３８を形成している。そして、上記連通溝３５、３７は、主体２の中央部で、それぞれ上記底面側側面７の位置から上記斜辺側側面かつ上記正面側側面３に向って斜めに（略４５度）曲線状に曲がっている。
【００２６】  上記スリット２４は、短辺側側面４に向うに従って、図２（ｃ）、（ｄ）に示すように、上記分岐部２５の位置で、上記正面側側面３と底面側側面７に開口し湾曲する２つの連通溝３０、３５に分岐され、上記スリット１４およびスリット１７に連通している。上記連通溝３０、３５は、ファスナーのテープ部を挿通するだけの幅を有し、上記正面側側面３と底面側側面７に開口すると共に開口部と反対側に噛合部を挿通して噛合部の移動を案内する案内部３２、３７を形成している。そして、上記連通溝３０、３５は、主体２の中央部で、それぞれ上記正面側側面３と底面側側面７の位置から中央部かつ一方の上記傾斜側側面６に向って斜めに（略４５度）曲線状に曲がっている。
【００２７】  上記スリット２８は、短辺側側面４に向うに従って、図２（ｃ）、（ｄ）に示すように、上記分岐部２９の位置で、上記正面側側面３と底面側側面７に開口し湾曲する２つの連通溝３１、３６に分岐され、上記スリット１４およびスリット１７に連通している。上記連通溝３１、３６は、ファスナーのテープ部を挿通するだけの幅を有し、上記正面側側面３と底面側側面７に開口すると共に開口部と反対側に噛合部を挿通して噛合部の移動を案内する案内部３３、３８を形成している。そして、上記連通溝３１、３６は、主体２の中央部で、それぞれ上記正面側側面３と底面側側面７の位置から中央部かつ他方の上記傾斜側側面６に向って斜めに（略４５度）曲線状に曲がっている。
【００２８】  なお、上記案内部３２、３３、３７、３８は、上記連通溝３０、３１、３５、３６の幅がファスナーの噛合部を挿通する幅を有すれば省略しても良い。
また、上記ファスナー用複合スライダー１において、上記連通溝３０、３１、３５、３６を形成したが、これら連通溝は、必ずしも形成する必要はなく、要するに上記第１スレイダー部１０、第２スレイダー部１１、第３スレイダー部２０、第４スレイダー部２１を適宜手段によって一体に連結しておれば良い。
【００２９】  図３は、この発明のファスナー用複合スライダーに使用する第１の可撓性部材および第２の可撓性部材の斜視図である。
図４は、この発明のファスナー用複合スライダーを第１の可撓性部材および第２の可撓性部材に適用する説明図で、図４（ａ）は、両部材の位置関係を示す説明図、図４（ｂ）は、この発明のファスナー用複合スライダーを両部材に取り付けの説明図、図４（ｃ）は、この発明のファスナー用複合スライダーで両部材を接続する説明図である。
【００３０】  第１の可撓性部材４０は、可動性の樹脂製のシート材からなり、筒部と底部からなる樹脂製袋のように、筒状形状である。上記第１の可撓性部材４０は、その筒形状の一端縁に第１のファスナー４１を気密状に取り付けてある。上記第１のファスナー４１は、第１テープ部４２とその一端縁に取り付けた第１噛合部４３とからなる第１噛合レール部材４４と、第２テープ部４５とその一端縁に取り付けた第２噛合部４６とからなる第２噛合レール部材４７とで構成されている。上記第１テープ部４２の他端縁には、上記第１の可撓性部材４０の筒形状の一端縁が気密状に取り付けられている。また、上記第２テープ部４５の他端縁には、上記第１の可撓性部材４０の筒形状の一端縁が気密状に取り付けられている。
【００３１】  そして、上記第１のファスナー４１の第１噛合レール部材４４は、上記第１の可撓性部材４０の両方に跳ね出し片４４ａ、４４ｂを跳ね出している。この跳ね出し量は、上記複合スライダー１の短辺と長辺の間の寸法以上が望ましい。また、上記第２噛合レール部材４７は、上記第１の可撓性部材４０の両方に跳ね出し片４７ａ、４７ｂを跳ね出している。さらに、上記第１噛合レール部材４４の第１噛合部４３と上記第２噛合レール部材４７の第２噛合部４６とが、上記第１テープ部４２と第２テープ部４５とを対向させて、歯合している。なお、図３で、上記第１のファスナー４１は、噛合していない状態を描いているが、噛合している状態でもよい。また、上記第１の可撓性部材４０の第１のファスナー４１との取り付け部を開口した状態を描いているが、併せた状態でも良い。
【００３２】  同様に、第２の可撓性部材５０は、可動性の樹脂製のシート材からなり、筒部と底部からなる樹脂製袋のように、筒状形状である。上記第２の可撓性部材５０は、その筒形状の一端縁に第２のファスナー５１を気密状に取り付けてある。上記第２のファスナー５１は、第３テープ部５２とその一端縁に取り付けた第３噛合部５３とからなる第３噛合レール部材５４と、第４テープ部５５とその一端縁に取り付けた第４噛合部５６とからなる第４噛合レール部材５７とで構成されている。上記第３テープ部５２の他端縁には、上記第２の可撓性部材５０の筒形状の一端縁が気密状に取り付けられている。また、上記第４テープ部５５の他端縁には、上記第２の可撓性部材５０の筒形状の一端縁が気密状に取り付けられている。
【００３３】  そして、上記第２のファスナー５１の第３噛合レール部材５４は、上記第２の可撓性部材５０の両方に跳ね出し片５４ａ、５４ｂを跳ね出している。また、上記第４噛合レール部材５７は、上記第２の可撓性部材５０の両方に跳ね出し片５７ａ、５７ｂを跳ね出している。さらに、上記第３噛合レール部材５４の第３噛合部５３と上記第４噛合レール部材５７の第２噛合部５６とが、上記第３テープ部５２と第４テープ部５５とを対向させて、歯合している。なお、図３で、上記第２のファスナー５１は、噛合していない状態を描いているが、歯合している状態でもよい。また、上記第２の可撓性部材５０の第２のファスナー５１との取り付け部を開口した状態を描いているが、併せた状態でも良い。
【００３４】  つぎに、上記第１の可撓性部材４０と第２の可撓性部材５０とを上記複合スライダー１を用いて着脱する方法について説明する。
上記第１の可撓性部材４０と第２の可撓性部材５０とを、図４（ａ）に示すように、それぞれの第１のファスナー４１と第２のファスナー５１を向かい合わせに対向して配置する。
【００３５】  つぎに、図４（ｂ）に示すように、上記第１のファスナー４１と第２のファスナー５１の跳ね出した跳ね出し片４４ａ、４７ａ、５４ａ、５７ａの位置に上記複合スライダー１の短辺側側面４を跳ね出し片に向けて配置する。そして、上記複合スライダー１の第１スライダー部１０の閉合部１２に跳ね出し片４４ａ、４７ａを長辺側側面５に突出するまで挿入する。そうすると、上記跳ね出し片４４ａは、上記連通溝３０と案内部３２によって案内されて直角に捩られながら上記第３スライダー部２０の閉合部２２から突出する。また、上記跳ね出し片４７ａは、上記連通溝３１と案内部３３によって案内されて直角に捩られながら上記第４スライダー部２１の閉合部２６から突出する。
【００３６】  つぎに、上記複合スライダー１の第２スライダー部１１の閉合部１６に跳ね出し片５４ａ、５７ａを長辺側側面５に突出するまで挿入する。そうすると、上記跳ね出し片５４ａは、連通溝３５と案内部３７によって案内されて直角に捩られながら上記第３スライダー部２０の閉合部２２から突出する。また、上記跳ね出し片５７ａは、上記連通溝３６と案内部３８によって案内されて直角に捩られながら上記第４スライダー部２１の閉合部２６から突出する。上記閉合部２２と閉合部２６から突出した上記跳ね出し片４４ａと跳ね出し片５４ａおよび跳ね出し片４７ａと跳ね出し片５７ａは、それぞれ上記閉合部２２、２６を通過するので、上記第１噛合部４３と第３噛合部５３とが噛合し、上記第２噛合部４６と第４噛合部５６とが噛合している。
【００３７】  つぎに、上記第１の可撓性部材４０と上記第２の可撓性部材５０の端部を合致させた後、上記複合スライダー１から突出した跳ね出し片を適宜固定して、上記複合スライダー１を跳ね出し片４４ｂ、４７ｂ、５４ｂ、５７ｂに向って（矢印Ｘの方向）スライドスライドさせる。そうすると、上記各跳ね出し片は、上記閉合部２２、２６を通過するので、上記第１噛合部４３と第３噛合部５３とが噛合し、上記第２噛合部４６と第４噛合部５６とが噛合する。すなわち、上記第１噛合部４３側の第１テープ部４２（第１噛合レール部材４４）に取り付けた上記第１の可撓性部材４０と上記第３噛合部５３側の第３テープ部５２（第３噛合レール部材５４）に取り付けた第２の可撓性部材５０とが接続される。また、上記第２噛合部４６側の第２テープ部４５（第２噛合レール部材４７）に取り付けた上記第１の可撓性部材４０と第４噛合部５６側の第４テープ部５７（第４噛合レール部材５５）に取り付けた上記第２の可撓性部材５０とが接続される。このように、上記第１の可撓性部材４０と第２の可撓性部材５０とは、完全に気密状に接続されると共に、その内部空間は連通する。
【００３８】  そして、上記跳ね出し片４４ｂ、４７ｂ、５４ｂ、５７ｂを適宜固定し、上記複合スライダー１をその長辺側側面を前にして、上記跳ね出し片４４ａ、４７ａ、５４ａ、５７ａに向って（矢印Ｙの方向）スライドさせ、上記跳ね出し片４４ａ、４７ａ、５４ａ、５７ａから抜き取る。そうすると、上記各跳ね出し片は、上記閉合部１２、１６を通過するので、上記第１噛合部４３と第２噛合部４７とが噛合し、上記第３噛合部５３と第４噛合部５６とが噛合する。すなわち、上記第１の可撓性部材４０と第２の可撓性部材５０とが分離される。なお、図４においては、上記第１の可撓性部材４０と上記第２の可撓性部材５０の開口幅を等しくしているが、等しくなくても良く、その場合は、上記複合スライダー１のスライド量を開口幅の短い方に合わせたスライド量にする。
【００３９】  図５は、この発明のファスナー用複合スライダーを除去した有害物質を収納する有底袋状部材とシュートに適用する説明図である。
【００４０】  つぎに、実施例として、上記ファスナー用複合スライダー１を除去した有害物質を収納する有底袋状部材とシュートに適用する場合について、図５を参照して説明する。
壁面６０に付着したアスベスト等の有害物質６１を遮蔽膜６２によって遮蔽し、空間を作業空間６３と遮蔽空間６４とに区画する。そして、上記遮蔽膜６２の下方に開口を設け、この開口に上記第１の可撓性部材である筒状のシュート部材６５の開口一端側を取り付ける。上記シュート６５の他端側にファスナーがその両端を跳ね出して取り付けてある。また、上記シュート部材６５に除去した有害物質を収納廃棄するための上記第２の可撓性部材である有底袋状部材６６が接続されている。上記有底袋状部材６６にはファスナーがその両端を跳ね出して取り付けてある。上記シュート部材６５のファスナーの一方の跳ね出し部と上記有底袋状部材６６のファスナーの一方の跳ね出し部とを上記複合スライダー１の短辺側の閉合部１２、１６に挿入し、上記複合スライダー１を上記シュート部材６５のファスナーの他方の跳ね出し部および上記有底袋状部材６６のファスナーの他方の跳ね出し部までスライドさせる。そうすると、上記シュート部材６５と上記有底袋状部材６６は、接続されると共に互いの内部空間が連通する。その後、上記遮蔽空間６４内の除去した有害物質を、上記シュート部材６５を介して、上記有底袋状部材６６に収納する。収納が終わると、上記複合スライダー１を逆方向にスライドさせる。そうすると、上記シュート部材６５と上記有底袋状部材６６のファスナーが気密状に噛合すると共に、上記シュート部材６５と上記有底袋状部材６６は分離される。分離された有害物質を収納した上記有底袋状部材６６は、廃棄場へ廃棄される。
【００４１】  また、この発明のファスナー用複合スライダー１は、図示しないが、上記第１の可撓性部材４０として可撓性の遮蔽膜を用い、上記第２の可撓性部材５０として防護服を用いると、例えば、ウイルスなどの蔓延を防止する隔離室を遮蔽膜で形成し、その内部に防護服を着用した医師等が入り、安全に作業をする環境を形成することができる。また、例えば、大きい空間で有害物質を除去する場合、作業員が防護服を着用して遮蔽膜の中へ入って、安全に除去作業を行うことができる。
【００４２】  この発明のファスナーの複合スライダー１によれば、上記第１噛合レール部材４４と第２噛合レール部材４７を挿通するスリット部１４と、噛合する閉合部１２と、噛合を解除する分岐部１５とを有する第１スライダー部１０と、上記第３噛合レール部材５４と第４噛合レール部材５７を挿通するスリット部１７と、噛合する閉合部１６と、噛合を解除する分岐部１９とを有する第２スライダー部１１と、上記第１スライダー部１０に挿通した第１噛合レール部材４４と上記第２スライダー部４７に挿通した第３噛合レール部材５４を挿通するスリット部２４と、噛合する閉合部２２と、噛合を解除する分岐部２５とを有する第３スライダー部２０と、上記第１スライダー部１０に挿通した第２噛合レール部材４７と上記第２スライダー部１１に挿通した第４噛合レール部材５７を挿通するスリット部２８と、噛合する閉合部２６と、噛合を解除する分岐部２９とを有する第４スライダー部２１と備え、上記第１スライダー部１０と第２スライダー部１１とは、上記第１スライダー部１０のスリット部１４と第２スライダー部１１のスリット部１７とを互いに反対側に向かせ、かつ上記第１スライダー部１０の分岐部１５と第２スライダー部１１の分岐部１９との向きを揃え、上記第３スライダー部２０と第４スライダー部２１とは、互いに離間すると共に、上記第３スライダー部２０のスリット部２４と第４スライダー部２１のスリット部２８とを互いに向き合わせ、かつ上記第３スライダー部２０の分岐部２５と第４スライダー部２１の分岐部２９との向きを揃え、さらに、上記第１スライダー部１０と第２スライダー部１１の分岐部側と、上記第３スライダー部２０と上記第４スライダー部２１の分岐部側とを互いに向き合わせ、かつ上記第３スライダー部２０を上記第１スライダー部１０に対して略直角に捩り、上記第４スライダー部２１を上記第２スライダー部１１に対して略直角に捩っているので、第１の可撓性部材４０と第２の可撓性部材５０のそれぞれのファスナー４１、５１にスライドさせることによって、ファスナー４１、５１で第１の可撓性部材４０と第２の可撓性部材５０を個々に、かつ同時に封止できると共に、これらを気密状に接続することができる。
また、上記複合スライダー１を逆方向にスライドさせると、第１の可撓性部材４０と第２の可撓性部材５０のそれぞれを気密状に封止すると共に、かつ同時に分離することができる。
【００４３】  また、１実施形態によれば、上記第１の可撓性部材４０が、その両側に第１のファスナー４１を跳ね出して取り付けていると共に、第２の可撓性部材５０は、その両側に第２のファスナー５１を跳ね出して取り付けているので、ファスナーの跳ね出し部を複合スライダー１に取り付けやすくなる。
【００４４】  また、１実施形態によれば、上記第１の可撓性部材４０が、シュート部材６５で、上記第２の可撓性部材５０が、有底袋状部材６６であるので、有害物質を除去する遮蔽空間から除去した有害物質をシュート部材６５を介して、有底袋状部材６６内に容易に収納することができる。
【００４５】  また、１実施形態によれば、上記第１の可撓性部材４０は、可撓性の遮蔽膜で、上記第２の可撓性部材５０は、防護服であるので、例えば、ウイルスなどの蔓延を防止する隔離室を遮蔽膜で形成し、その内部に防護服を着用した医師等が入り、安全に作業をすることができる。また、例えば、大きい空間で有害物質を除去する場合、作業員が防護服を着用して遮蔽膜の中へ入って、安全に除去作業を行うことができる。
【符号の説明】
【００４６】１  ファスナー用複合スライダー
１０  第１スライダー部
１１  第２スライダー部
１２、１６  閉合部
１５、１９、２５、２９  分岐部
２０  第３スライダー部
２１  第４スライダー部
２２、２６  閉合部
３０、３１、３５、３６  連通溝
４０  第１の可撓性部材
４１  第１のファスナー
５０  第２の可撓性部材
５１  第２のファスナー
６５  シュート部材
６６  有底袋状部材
【図１】
2011087875.tif 000003
【図２】
2011087875.tif 000004
【図３】
2011087875.tif 000005
【図４】
2011087875.tif 000006
【図５】
2011087875.tif 000007